(57)【要約】【課題】浴室内で身体を乾かすために使用されるボディドライヤー装置であって、室内外の空気を選択的に利用して身体を乾かすことができるボディドライヤー装置を提供することを目的とする。【解決手段】浴室の内部の空気または前記浴室の外部の空気を吸い込む吸込口と、前記吸込口から吸い込まれた空気を前記浴室内に吹き出す複数の吹出口と、前記吸込口と前記吹出口とを連通する風路と、前記吸込口から前記吹出口まで前記風路を介して空気を導く送風部と、前記吸込口が吸い込む空気を前記浴室の内部の空気と前記浴室の外部の空気とから選択する制御部と、を備えたボディドライヤー装置。【選択図】図２
2017148093.tif 000002
【特許請求の範囲】
【請求項１】
浴室の内部の空気または前記浴室の外部の空気を吸い込む吸込口と、
前記吸込口から吸い込まれた空気を前記浴室内に吹き出す複数の吹出口と、
前記吸込口と前記吹出口とを連通する風路と、
前記吸込口から前記吹出口まで前記風路を介して空気を導く送風部と、
前記吸込口が吸い込む空気を前記浴室の内部の空気と前記浴室の外部の空気とから選択する制御部と、を備えたボディドライヤー装置。
【請求項２】
前記浴室の外部の空気は、
前記浴室の内部の空気以外の屋内の空気または屋外の空気である請求項１記載のボディドライヤー装置。
【請求項３】
前記外部の空気の温度を検知する外部温度検知部と、
前記内部の空気の温度を検知する内部温度検知部とを備え、
前記制御部は、
前記外部温度検知部が検知した前記外部の空気の温度と前記内部温度検知部が検知した前記内部の空気の温度とに基づいて前記吸込口が吸い込む空気を選択する請求項１または２記載のボディドライヤー装置。
【請求項４】
夏季とそれ以外の季節を判定する季節判定部を備え、
前記制御部は、
前記季節判定部が判定した判定結果に基づいて前記吸込口が吸い込む空気を選択する請求項１から３いずれかに記載のボディドライヤー装置。
【請求項５】
前記外部の空気の温度を検知する外部温度検知部と、
前記内部の空気の温度を検知する内部温度検知部と、
夏季とそれ以外の季節を判定する季節判定部とを備え、
前記制御部は、
前記季節判定部による判定結果が夏季である場合、
前記外部温度検知部が検知した前記外部の空気の温度と前記内部温度検知部が検知した前記内部の空気の温度とを比較し、
前記比較結果において低い温度の空気を前記吸込口が吸い込む請求項１または２に記載のボディドライヤー装置。
【請求項６】
前記吹出口から吹き出す空気の温度及び／または風量の変更を受け付ける入力受付部を備え、
前記制御部は、
前記入力受付部に入力された入力情報に基づいて前記吹出口から吹き出す空気の温度及び／または風量を変更する請求項１から５いずれかに記載のボディドライヤー装置。
【請求項７】
前記吹出口から吹き出す空気の向きを変更する向き変更部を備える請求項１から６いずれかに記載のボディドライヤー装置。
【請求項８】
前記吹出口から吹き出す空気を加熱する加熱部を備え、
前記制御部は、
前記吸込口が吸い込む空気の温度及び／または前記入力情報に基づいて加熱部を動作させる請求項１から７いずれかに記載のボディドライヤー装置。
【請求項９】
マイナスイオンを発生させるイオン発生部と、
前記送風部から送り出す空気と前記イオン発生部が発生するマイナスイオンとを混合する混合部とを備え、
前記吹出口は、
前記混合部にて混合された空気とマイナスイオンとを吹き出す請求項１から８いずれかに記載のボディドライヤー装置。
【請求項１０】
前記吹出口は、浴室内の上部及び／または側面に設置される請求項１から９いずれかに記載のボディドライヤー装置。
【請求項１１】
前記吹出口は、浴室内の上部及び側面に設置され、
前記制御部は、
浴室内の上部に設置された前記吹出口から吹き出る風量を、前記浴室内の側面に設置された前記吹出口から吹き出る風量よりも多くした請求項１０記載のボディドライヤー装置。
【請求項１２】
前記浴室内における人の頭の位置を検知する位置検知部を備え、
前記制御部は、
前記位置検知部が検知した頭の位置に基づいて、前記複数の吹出口から吹き出る風の風量をそれぞれ変更する請求項１１記載のボディドライヤー装置。
【請求項１３】
前記浴室内における人の頭の位置を検知する位置検知部を備え、
前記制御部は、
前記位置検知部が検知した頭の位置に基づいて、前記複数の吹出口を選択的に開閉する請求項１１記載のボディドライヤー装置。
【請求項１４】
前記制御部は、
前記浴室内の上部に設置された前記吹出口から空気を吹き出す時間を、前記浴室内の側面に設置された前記吹出口から空気を吹き出す時間に比べて長くした請求項１１から１３いずれかに記載のボディドライヤー装置。
【発明の詳細な説明】
【技術分野】
【０００１】
本発明は、浴室で人の身体を乾かすために使用されるボディドライヤー装置に関するものである。
【背景技術】
【０００２】
従来、この種のボディドライヤー装置は、浴室の内部の空気を吸込口から吸い込み、吸い込んだ空気を、風路を介して浴室内に設けられた吹出口から吹き出すことで、入浴後の身体に付着している水滴を吹き飛ばす。これにより、例えば冬季でも入浴者が寒さを感じることを抑制しながら身体を乾かすことができるものが知られている（例えば、特許文献１参照）。
【０００３】
以下、そのボディドライヤー装置について図５を参照しながら説明する。
【０００４】
図５に示すように、ボディドライヤー装置１０１は浴室１０２の壁パネル１０３のドア枠等に取り付けられた吹出口ボックス１０４と、この吹出口ボックス１０４に接続された送風装置１０５と、この送風装置１０５等を制御する制御装置１０６を有している。
【０００５】
吹出口ボックス１０４は、浴室１０２内から見た正面視で下部が開口した略コ字状に形成され、ドア枠に取り付けられたドア１０７の左右幅と略同一の間隔を有して対向配置された左右吹出部１０８と、左右吹出部１０８の上部を連結するように配置された上部吹出部１０９とを有している。この上部吹出部１０９内に設けた空気通路を介して左右吹出部１０８の空気通路が連通状態とされている。
【０００６】
送風装置１０５は、一端開口部が上部吹出部１０９の接続口に接続され、他端開口部が浴室１０２の天井に設けられた吸気口に接続された送風ダクト１１０を有し、この送風ダクト１１０内の所定位置には、コンプレッサー１１１が配置されている。このコンプレッサー１１１の作動で浴室１０２内の空気を吸引して吹出口ボックス１０４に供給し、吸引した空気を左右吹出部１０８及び上部吹出部１０９から吹き出す。
【先行技術文献】
【特許文献】
【０００７】
【特許文献１】特開２００６−１２２４２０号公報
【発明の概要】
【発明が解決しようとする課題】
【０００８】
このような従来のボディドライヤー装置においては、浴室の内部の空気を吹出口から吹き出す構成となっていたので、浴室の内部の比較的暖かい空気を吹出口から吹き出すことから、例えば夏季には不向きであるという課題を有していた。
【０００９】
そこで本発明は、上記従来の課題を解決するものであり、周囲の温度環境を利用して吹き出す空気の温度を変更できるボディドライヤー装置を提供することを目的とする。
【課題を解決するための手段】
【００１０】
そして、この目的を達成するために、本発明に係るボディドライヤー装置は、浴室の内部の空気または前記浴室の外部の空気を吸い込む吸込口と、前記吸込口から吸い込まれた空気を前記浴室内に吹き出す複数の吹出口と、前記吸込口と前記吹出口とを連通する風路と、前記吸込口から前記吹出口まで前記風路を介して空気を導く送風部と、前記吸込口が吸い込む空気を前記浴室の内部の空気と前記浴室の外部の空気とから選択する制御部と、を備えたものであり、これにより所期の目的を達成するものである。
【発明の効果】
【００１１】
本発明によれば、周囲の温度環境を利用して吹き出す空気の温度を変更できるという効果を得ることができる。
【図面の簡単な説明】
【００１２】
【図１】実施の形態１に係るボディドライヤー装置の斜視図
【図２】実施の形態１に係るボディドライヤー装置を上下方向に切断した際の断面図
【図３】実施の形態１に係る制御部の構成を示すブロック図
【図４】実施の形態１に係るボディドライヤー装置の運転動作の流れを示すフロー図
【図５】従来のボディドライヤー装置の構成を示す斜視図
【発明を実施するための形態】
【００１３】
本発明に係るボディドライヤー装置は、浴室の内部の空気または前記浴室の外部の空気を吸い込む吸込口と、前記吸込口から吸い込まれた空気を前記浴室内に吹き出す複数の吹出口と、前記吸込口と前記吹出口とを連通する風路と、前記吸込口から前記吹出口まで前記風路を介して空気を導く送風部と、前記吸込口が吸い込む空気を前記浴室の内部の空気と前記浴室の外部の空気とから選択する制御部と、を備えるという構成を有する。
【００１４】
これにより、浴室の内部の空気と、浴室の外部の空気とから、吸込口が吸い込む空気を選択できるので、周囲の温度環境を利用して効率よく乾燥に利用する空気の温度を変更できるという効果が得られる。
【００１５】
また、前記浴室の外部の空気は、前記浴室の内部の空気以外の屋内の空気または屋外の空気であるとしてもよい。
【００１６】
これにより、浴室の内部の空気と、浴室の内部の空気以外の屋内の空気と、屋外の空気とから、吸込口が吸い込む空気を選択できるので、周囲の温度環境の選択肢が広がる。特に屋外の空気は屋内の空気との温度差が大きい可能性が高く、これを利用した場合には省エネルギーに寄与することができる。
【００１７】
また、前記外部の空気の温度を検知する外部温度検知部と、前記内部の空気の温度を検知する内部温度検知部とを備え、前記制御部は、前記外部温度検知部が検知した前記外部の空気の温度と前記内部温度検知部が検知した前記内部の空気の温度とに基づいて前記吸込口が吸い込む空気を選択できるという構成にしてもよい。
【００１８】
これにより、浴室の内部の空気と、浴室の外部の空気のうち、例えば使用する季節に応じて最適な空気を選択することができるという効果が得られる。
【００１９】
また、夏季とそれ以外の季節を判定する季節判定部を備え、制御部は、季節判定部が判定した判定結果に基づいて吸込口が吸い込む空気を選択できるという構成にしてもよい。
【００２０】
また、前記外部の空気の温度を検知する外部温度検知部と、前記内部の空気の温度を検知する内部温度検知部と、夏季とそれ以外の季節を判定する季節判定部とを備え、
前記制御部は、前記季節判定部による判定結果が夏季である場合、前記外部温度検知部が検知した前記外部の空気の温度と前記内部温度検知部が検知した前記内部の空気の温度とを比較し、前記比較結果において低い温度の空気を前記吸込口が吸い込むことができるという構成にしてもよい。
【００２１】
これにより、使用者の指示無く、たとえば夏季には温度の低い空気を利用でき、夏季以外では温かい空気を、乾燥に利用できるという効果が得られる。
【００２２】
また、前記吹出口から吹き出す空気の温度及び／または風量の変更を受け付ける入力受付部を備え、前記制御部は、前記入力受付部に入力された入力情報に基づいて前記吹出口から吹き出す空気の温度及び／または風量を変更できるという構成にしてもよい。
【００２３】
これにより、使用者が使用状況に応じて、乾燥に利用する空気の温度及び／または風量を変更できるという効果が得られる。
【００２４】
また、前記吹出口から吹き出す空気の向きを変更する向き変更部を備えるという構成にしてもよい。
【００２５】
これにより、使用者が使用状況に応じて、前記吹出口から吹き出す空気の向きを変更できるという効果が得られる。
【００２６】
また、前記吹出口から吹き出す空気を加熱する加熱部を備え、前記制御部は、前記吸込口が吸い込む空気の温度及び／または前記入力情報に基づいて加熱部を動作させるようにしてもよい。
【００２７】
これにより、前記吹出口から吹き出す空気の温度を上げることができるという効果が得られる。
【００２８】
また、マイナスイオンを発生させるイオン発生部と、前記送風部から送り出す空気と前記イオン発生部が発生するマイナスイオンとを混合する混合部とを備え、前記吹出口は、前記混合部にて混合された空気とマイナスイオンとを吹き出すという構成にしてもよい。
【００２９】
これにより、使用者の希望に応じてマイナスイオンを含んだ空気を提供可能となる。
【００３０】
また、前記吹出口は、浴室内の上部及び／または側面に設置してもよい。
【００３１】
これにより、入浴後の身体全体に付着した水滴を吹き飛ばして、身体全体を乾かすことができるという効果が得られる。
【００３２】
また、前記吹出口は、浴室内の上部及び側面に設置し、前記制御部は、浴室内の上部に設置された前記吹出口から吹き出る風量を、前記浴室内の側面に設置された前記吹出口から吹き出る風量よりも多くしてもよい。
【００３３】
これにより、他の部位に比べて乾燥に時間を要する頭部を重点的に乾かすことができるという効果が得られる。
【００３４】
また、前記浴室内における人の頭の位置を検知する位置検知部を備え、前記制御部は、前記位置検知部が検知した頭の位置に基づいて、前記複数の吹出口から吹き出る風の風量をそれぞれ変更するという構成にしてもよい。
【００３５】
これにより、例えば、使用者が座っている場合、浴室内の側面に設置された吹出口から人の頭の検知位置に向けて吹き出る空気の風量を多くするなど、効率的に装置を運転することができるという効果が得られる。
【００３６】
また、前記浴室内における人の頭の位置を検知する位置検知部を備え、前記制御部は、前記位置検知部が検知した頭の位置に基づいて、前記複数の吹出口を選択的に開閉するという構成にしてもよい。
【００３７】
これにより、例えば、使用者が座っている場合、浴室内の側面に設置された複数の吹出口のうち上部に位置する前記吹出口を閉じるなど、運転時の省エネルギー効果が得られる。
【００３８】
また、前記制御部は、前記浴室内の上部に設置された前記吹出口から空気を吹き出す時間を、前記浴室内の側面に設置された前記吹出口から空気を吹き出す時間に比べて長くしてもよい。
【００３９】
これにより、他の部位に比べて乾燥に時間を要する頭部を重点的に乾かすことができるという効果が得られる。
【００４０】
以下、本発明の実施の形態について図面を参照しながら説明する。なお、以下の実施の形態は、本発明を具体化した一例であって本発明の技術的範囲を限定するものではない。また、全図面を通して、同一の部位については同一の符号を付して説明を省略している。さらに、各図面において、本発明に直接には関係しない各部の詳細については説明を省略している。
【００４１】
（実施の形態１）
図１は本発明の実施の形態１のボディドライヤー装置の斜視図である。
【００４２】
図１に示すように、ボディドライヤー装置１は、浴室２と脱衣室７とを人が行き来する通路上であって、浴室２の内部のドア３側に設置される。なおドア３は、浴室２内側に向けて開閉可能であり、浴室２と脱衣室７との通路上に設けられる。ドア３は、閉状態では浴室２と脱衣室７とを空間的に隔て、開状態では使用者が浴室２と脱衣室７とを往来可能となる。
【００４３】
ボディドライヤー装置１は、第一の吸込口４と、第二の吸込口５と、第三の吸込口６と、入力受付部２０とを備えている。
【００４４】
第一の吸込口４は、浴室の内部の空気を吸い込む吸込口であり、例えば天井裏を介してボディドライヤー装置１と浴室の内部とを連通している。
【００４５】
第二の吸込口５は、脱衣室７の空気を吸い込む吸込口であり、例えば天井裏を介してボディドライヤー装置１と脱衣室７とを連通している。なお脱衣室７は、浴室２の外部の屋内に該当する。つまり、第二の吸込口５は、浴室２の内部の空気以外の屋内の空気を吸込む吸込口である。
【００４６】
第三の吸込口６は、屋外の空気を吸い込む吸込口であり、例えば天井裏を介してボディドライヤー装置１と屋外とを連通している。なお屋外は、浴室２の外部の屋外に該当する。つまり、第三の吸込口６は、浴室２の内部の空気以外の屋外の空気を吸込む吸込口である。
【００４７】
なお、第一の吸込口４、第二の吸込口５、及び第三の吸込口６は、それぞれ独立して開閉を制御可能な開閉弁を備えており、後述の制御部からの指令に基づいてそれぞれ開閉可能である。つまり、ボディドライヤー装置１は、第一の吸込口４、第二の吸込口５、及び第三の吸込口６のいずれか１つから選択的に吸気することが可能である。
【００４８】
入力受付部２０は、ボディドライヤー装置１とは別体のリモートコントローラであり、使用者のボディドライヤー装置１に対する風量や温度の命令を受け付け、あるいはボディドライヤー装置１の現在の設定などを表示する。具体的には、運転状態の変更と、吹出口から吹き出す空気の温度及び風量の変更と、吹出口の開閉の変更と、イオン発生の有無の変更とを受け付ける。入力受付部２０は、浴室２の内部に設置され、壁内部を通じてボディドライヤー装置１の後述する制御部に接続される。
【００４９】
また、ボディドライヤー装置１は、内部温度検知部１５と、第一の外部温度検知部１６と、第二の外部温度検知部１７と、複数の吹出口８と、位置検知部１９とを備えている。
【００５０】
内部温度検知部１５は、浴室２の内部の温度を検知する例えばサーミスタであり、第一の吸込口４の内部であって、浴室２から空気を吸い込む開口により近い所に設けられる。
【００５１】
第一の外部温度検知部１６は、脱衣室７の温度を検知する例えばサーミスタであり、第二の吸込口５の内部であって脱衣室７から空気を吸い込む開口により近い所に設けられる。
【００５２】
第二の外部温度検知部１７は、屋外の温度を検知する例えばサーミスタであり、第三の吸込口６の内部であって、例えば屋外の壁面に設けられた空気を吸込む開口により近い所に設けられる。
【００５３】
なお、吹出口８と、位置検知部１９の詳細については後述する。
【００５４】
続いて、図２を用いてボディドライヤー装置１の詳細構成を説明する。なお図２は本発明の実施の形態１に係るボディドライヤー装置１を上下方向に切断した際の断面図である。また図２に示す断面は、脱衣室７側から見た際の断面であり、同方向から見た際のボディドライヤー装置１の面をボディドライヤー装置１の正面と定義する。
【００５５】
ボディドライヤー装置１は、さらに送風部９と、風路１０と、加熱部１１と、イオン発生部１２と、混合部１３と、制御部１４とを備えている。
【００５６】
送風部９は、例えばターボファンと当該ターボファンを回転駆動するモーターとで構成される。送風部９は、回転駆動することで第一の吸込口４、第二の吸込口５、または第三の吸込口６から空気を吸い込み、風路１０を介して吹出口８に向かう気流を生成する。
【００５７】
風路１０は、正面視において、下部が開口したコの字状に形成された中空筒型の筐体内に設けられる。つまり、この筐体が、内部に風路１０を備えたボディドライヤー装置１の外郭を構成する。風路１０は、鉛直上方において送風部９と接続されることで、送風部９から下方に設けられた吹出口８まで空気を導くことができる。
【００５８】
吹出口８は、筐体における鉛直方向上部に３つ、及び両側部に各５つ、すなわち複数設置され、送風部９から送り出された空気を、風路１０を介して吹き出す。吹出口８は、筐体の上部及び筐体の両側部から通路方向に向けて風が吹き出すように設けられており、すなわちボディドライヤー装置１は、コの字形状における内部空間に、乾燥空間２４を備えている。吹出口８は、ノズル形状を有しており、送風部９にて加圧されることにより空気の吹き出し速度を増加させる。また、ボディドライヤー装置１は、向き変更部を備えている。
【００５９】
向き変更部は、ノズルの先端部に突起として設けられる。例えば使用者は、この突起をつまんで所定の方向に付勢することで、ノズルの先端部が付勢方向に向けられる。向き変更部を介して吹出口８の向きを自由に変更可能な構成にすることで、吹出口８から吹き出す空気の向きを変更できる。当然ながら、ノズルにノズル駆動用モーターを設けて当該モーターを、入力受付部２０を介して動作させることで、ノズルの方向を変更してもよい。
【００６０】
加熱部１１は、ヒーターであり、吹出口８から暖かい空気を吹き出す場合には、必要に応じて送風部９から送り出す空気を加熱する。
【００６１】
イオン発生部１２は、マイナスイオンを発生させる装置であり、具体的には、例えばナノイー（登録商標）イオンの発生器が該当する。なおナノイー（登録商標）イオンとは、水が高電圧を受けて、ナノサイズにまで分裂を繰り返したイオンを指す。
【００６２】
混合部１３は、送風部９から送り出す空気とイオン発生部１２が発生させるマイナスイオンとを混合する空間であり、風路１０上に設けられる。
【００６３】
位置検知部１９は、乾燥空間２４内での人の頭の位置を検知する位置センサーであり、筐体における片側部において鉛直上下方向に４つ、すなわち複数設けられる。鉛直上下方向に複数設け、各位置センサーのオン・オフ信号を個別に検知することで、人の頭のおおよその位置を特定することができる。位置検知部１９が人の頭の位置を検知すると、その旨が制御部１４に送信される。
【００６４】
制御部１４は、ボディドライヤー装置１の上方に、マイクロコンピュータとして設けられているがその詳細については後述する。
【００６５】
続いて、図３を用いて制御部１４の構成について説明する。なお図３は実施の形態１に係る制御部の構成を示すブロック図である。
【００６６】
制御部１４は、マイクロコンピュータであり、内部温度検知部１５と、第一の外部温度検知部１６と、第二の外部温度検知部１７と、位置検知部１９と、入力受付部２０とからの入力等に基づいてそれぞれアクチュエータを制御する。アクチュエータは、第一の吸込口４と、第二の吸込口５と、第三の吸込口６と、吹出口８と、送風部９と、加熱部１１と、イオン発生部１２が該当する。
【００６７】
制御部１４は、内部温度検知部１５と第一の外部温度検知部１６と第二の外部温度検知部１７による温度の検知結果に基づいて空気の吸込口を第一の吸込口４または第二の吸込口５または第三の吸込口６から選択する。
【００６８】
また、制御部１４は、内部構成として季節判定部１８と比較部２１と吸込口選択部２２と吹出口選択部２３とを備えている。内部構成とは、例えばマイコンにて実行されるプログラムが該当する。
【００６９】
季節判定部１８は、入力受付部２０に記憶された日付の情報から、夏季とそれ以外の季節を判定する。具体的には、入力受付部２０は、例えば日時を含むカレンダー情報を有し、季節判定部１８は、入力受付部２０から現在の日時を取得することにより、現在の季節が夏季であるかまたはそれ以外の春秋冬であるかを判定する。例えば日付が６月〜９月であれば夏季と判定し、１０月〜１１月であれば秋季と判定し、１２月〜２月であれば冬季と判定し、３月〜５月であれば春季と判定する。
【００７０】
比較部２１は、内部温度検知部１５と第一の外部温度検知部１６と第二の外部温度検知部１７が検知した温度を比較する。
【００７１】
吸込口選択部２２は、比較部２１の比較結果と季節判定部１８により判定された季節とに基づいて第一の吸込口４または第二の吸込口５または第三の吸込口６のうち、最も適した空気を吸い込む吸込口を選択する。具体的には、例えば季節判定部１８にて夏季と判定された場合、吸込口選択部２２は、最も温度の低い空気を吸い込む吸込口を選択する。また夏季以外と判定された場合、吸込口選択部２２は、最も温度の高い空気を吸い込む吸込口を選択する。
【００７２】
吹出口選択部２３は、位置検知部１９による人の頭の位置の検知結果に基づいて吹出口８の開閉を選択する。例えば位置検知部１９である下から２つ目の位置センサーが人の頭の位置であると特定したとする。この場合、吹出口選択部２３は、筐体における鉛直方向上部３つの吹出口８と、及び両側部５つの吹出口８のうち上２つの吹出口８とを閉じる。
【００７３】
このような構成によれば、人が座っている場合、身体を乾かすために必要の無い吹出口８を閉じることでき、これを利用した場合には省エネルギーに寄与することができる。
【００７４】
また、位置検知部１９が人の頭の位置を検知すると、制御部１４は、頭部に向けて吹き出す風量を他の位置に向けて吹き出す風量より多くする。つまり吹出口８から吹き出す空気の風量を変更する。また、鉛直方向上部に設置された吹出口８から空気を吹き出す時間を、両側部に設置された吹出口８から空気を吹き出す時間に比べて長くする。
【００７５】
このような構成によれば、他の部位に比べて乾燥に時間を要する頭部を重点的に乾かすことができる。
【００７６】
入力受付部２０は、運転状態の変更と、吹出口から吹き出す空気の温度及び風量の変更と、吹出口の開閉の変更と、イオン発生の有無の変更を受け付ける。受け付けた設定は、制御部１４によって以下のように処理される。
【００７７】
例えば入力受付部２０による設定温度が５０度であり、浴室の内部の温度が３０度である場合、制御部１４からの命令によって加熱部１１は、第一の吸込口４から吸い込んだ浴室の内部の３０度の空気を設定温度の５０度になるまで加熱する。
【００７８】
また例えば風量状態に強、中、弱があるとし、入力受付部２０による設定風量が強である場合、制御部１４からの命令によって送風部９は強運転をする。ここで風量状態の初期設定は弱とする。
【００７９】
また例えば入力受付部２０による吹出口の開閉状態の設定が、上部吹出口がすべて閉であり、側部吹出口がすべて開である場合、制御部１４は、上部吹出口をすべて閉じて、側部吹出口がすべて開くように制御する。入力受付部２０は、複数の吹出口のひとつひとつに開閉状態を設定できる。
【００８０】
また例えば入力受付部２０によるイオン発生の有無の設定が有の場合、制御部１４は、イオン発生部１２を駆動する。ここでイオン発生の有無の初期設定は有であるとする。
【００８１】
続いて、図４を用いて本発明に係るボディドライヤー装置１の運転動作について説明する。なお図４は本発明の実施の形態１のボディドライヤー装置の運転動作の流れを示すフロー図である。ここで図４における「Ｓ」はステップ処理を意味する。
【００８２】
まず使用者が、入力受付部２０によりボディドライヤー装置１に、運転開始の信号を送信する。これによりボディドライヤー装置１が運転を開始する。
【００８３】
ボディドライヤー装置１が運転を開始すると、制御部１４は、内部温度検知部１５により、浴室の内部の温度Ｔ１を検知する。また第一の外部温度検知部１６により、脱衣室７の温度Ｔ２を検知する。さらに第二の外部温度検知部１７により、屋外の温度Ｔ３を検知する（Ｓ１）。
【００８４】
比較部２１は、Ｓ１での検知結果に基づいて、浴室の内部の温度Ｔ１と脱衣室７の温度Ｔ２と屋外の温度Ｔ３とを比較する（Ｓ２）。
【００８５】
季節判定部１８は、夏季かそれ以外の季節かを判定する（Ｓ３）。
【００８６】
吸込口選択部２２は、季節判定部１８による判定結果が夏季以外の場合、温度Ｔ１、Ｔ２、Ｔ３の比較結果のうち最も高い温度の空気を吸い込む吸込口を駆動する（Ｓ３ＹＥＳ→Ｓ４）。ここで吸込口を駆動するとは、当該吸込口に対応する開閉弁を開状態にし、他の吸込口に対応する開閉弁を閉状態にすることを意味する。このとき送風部９は、駆動された吸込口から空気を吸い込み、風路１０を介して吹出口８に向かう気流を生成する。つまり吹出口８からは周囲温度の中で比較的高い温度の空気を吹き出すことになる。このような構成によれば、夏季以外の場合には暖かい空気で身体を乾かすことができる。
【００８７】
吸込口選択部２２は、季節判定部１８による判定結果が夏季の場合、温度Ｔ１、Ｔ２、Ｔ３の比較結果のうち最も低い温度の空気を吸い込む吸込口を駆動する（Ｓ３ＮＯ→Ｓ５）。このとき送風部９は、駆動された吸込口から空気を吸い込み、風路１０を介して吹出口８に向かう気流を生成する。つまり吹出口８からは周囲温度の中で比較的低い温度の空気を吹き出すことになる。このような構成によれば、夏季には涼しい空気で身体を乾かすことができる。
【００８８】
つまりこのような構成によれば、周囲の温度環境の選択肢が広がる。特に屋外の空気は屋内の空気との温度差が大きい可能性が高く、これを利用した場合には省エネルギーに寄与することができる。
【００８９】
制御部１４は、Ｓ４で選択された吸込口が吸い込む空気の温度Ｔ’を記憶する（Ｓ６）。
【００９０】
比較部２１は、入力受付部２０により設定された温度ＴとＳ６で記憶された温度Ｔ’とを比較する（Ｓ７）。
【００９１】
制御部１４は、Ｓ７での比較結果がＴ＞Ｔ’の場合、加熱処理に移行させる（Ｓ７ＹＥＳ→Ｓ８）。
【００９２】
制御部１４は、Ｓ７での比較結果がＴ＜Ｔ’の場合、入力受付変更処理に移行させる（Ｓ７ＮＯ→Ｓ１０）。
【００９３】
制御部１４は、Ｔ＝Ｔ’になるまで加熱部１１を駆動させる（Ｓ９）。つまり吸込口から吸い込んだ空気の温度が設定温度に達するまで空気を加熱する。また、Ｓ４で温度Ｔ１、Ｔ２、Ｔ３の比較結果のうち最も高い温度の空気を吸い込む吸込口を駆動することで、設定温度Ｔに達するまでの加熱部１１の駆動時間を短縮できる。このような構成によれば、省エネルギーに寄与することができる。
【００９４】
制御部１４は、Ｔ＝Ｔ’の場合、入力受付変更処理に移行させる（Ｓ９ＹＥＳ→Ｓ１０）。このとき温度Ｔの空気が吹出口８から吹き出されることになる。
【００９５】
制御部１４は、Ｔ＞Ｔ’の場合、加熱処理に移行させる（Ｓ９ＮＯ→Ｓ８）。つまり吸込口が吸い込む空気の温度Ｔ’が設定温度にＴに達するまで加熱処理を繰り返す。
【００９６】
制御部１４は、入力受付部２０による運転状態の設定情報に基づいて入力受付変更処理をさせる（Ｓ１０）。
【００９７】
最後に使用者が、入力受付部２０によりボディドライヤー装置１に、運転停止の信号を送信する。これによりボディドライヤー装置１の運転が停止する。
【産業上の利用可能性】
【００９８】
本発明に係るボディドライヤー装置は、吸込口の選択を可能とするものであり、浴室内で身体に付着した水滴を効率的に乾燥させるために使用される人体用のボディドライヤー装置等として有用である。
【符号の説明】
【００９９】
１    ボディドライヤー装置
２    浴室
３    ドア
４    第一の吸込口
５    第二の吸込口
６    第三の吸込口
７    脱衣室
８    吹出口
９    送風部
１０    風路
１１    加熱部
１２    イオン発生部
１３    混合部
１４    制御部
１５    内部温度検知部
１６    第一の外部温度検知部
１７    第二の外部温度検知部
１８    季節判定部
１９    位置検知部
２０    入力受付部
２１    比較部
２２    吸込口選択部
２３    吹出口選択部
２４    乾燥空間
１０１    ボディドライヤー装置
１０２    浴室
１０３    壁パネル
１０４    吹出口ボックス
１０５    送風装置
１０６    制御装置
１０７    ドア
１０８    左右吹出部
１０９    上部吹出部
１１０    送風ダクト
１１１    コンプレッサー
【図１】
2017148093.tif 000003
【図２】
2017148093.tif 000004
【図３】
2017148093.tif 000005
【図４】
2017148093.tif 000006
【図５】
2017148093.tif 000007